【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
音声信号を復号するための方法であって、
受信されたビット・ストリームを復号して前記音声信号の現在フレームのスペクトル係数のうち少なくとも一部を取得するステップと、
前記現在フレームのサブバンドをビット割当てが飽和していないサブバンドとして分類するステップであって、前記ビット割当てが飽和していないサブバンドの少なくとも１つのスペクトル係数は前記受信したビット・ストリームを復号することにより取得されておらず、前記ビット割当てが飽和していないサブバンドの少なくとも１つのスペクトル係数は前記受信したビット・ストリームを復号することにより取得されていない、ステップと、
前記ビット・ストリームを復号することにより取得されていない前記ビット割当てが飽和していないサブバンドの前記少なくとも１つのスペクトル係数を雑音充填により再構築するステップと、
前記音声信号の前記現在フレームの前記取得されたスペクトル係数の少なくとも一部および前記ビット割当てが飽和していないサブバンドの前記再構築された少なくとも１つのスペクトル係数に従って周波数領域信号を取得するステップと、
を含む、方法。
【請求項２】
前記現在フレームの前記サブバンドを前記ビット割当てが飽和していないサブバンドとして分類するステップは、
前記サブバンドのスペクトル係数ごとに割り当てられたビットの平均量を計算するステップと、
前記サブバンドのスペクトル係数ごとに割り当てられたビットの前記平均量を分類閾値と比較するステップと、
前記サブバンドのスペクトル係数ごとに割り当てられたビットの前記平均量が前記分類閾値より小さいとき、前記ビット割当てが飽和していないサブバンドとして前記サブバンドを分類するステップと、
を含む、請求項１に記載の方法。
【請求項３】
前記サブバンドのスペクトル係数ごとに割り当てられたビットの前記平均量は前記サブバンドに対して割り当てられたビットの量と前記サブバンドの帯域幅との比である、請求項２に記載の方法。
【請求項４】
前記サブバンドの前記帯域幅は前記サブバンド内のスペクトル係数の量により表される、請求項３に記載の方法。
【請求項５】
前記現在フレームの別のサブバンドをビット割当てが飽和したサブバンドとして分類するステップであって、前記ビット割当てが飽和したサブバンド内に再構築すべきスペクトル係数がない、ステップをさらに含む、請求項２乃至４の何れか１項に記載の方法。
【請求項６】
前記現在フレームの別のサブバンドを前記ビット割当てが飽和したサブバンドとして分類するステップは、
前記別のサブバンドのスペクトル係数ごとに割り当てられたビットの平均量を計算するステップと、
前記別のサブバンドのスペクトル係数ごとに割り当てられたビットの前記平均量を前記分類閾値と比較するステップと、
前記別のサブバンドのスペクトル係数ごとに割り当てられたビットの前記平均量が前記分類閾値より小さくないとき、前記別のサブバンドを前記ビット割当てが飽和したサブバンドとして分類するステップと、
を含む、請求項５に記載の方法。
【請求項７】
前記別のサブバンドのスペクトル係数ごとに割り当てられたビットの前記平均量は、前記別のサブバンドに割り当てられたビットの量と前記別のサブバンドの帯域幅との比である、請求項６に記載の方法。
【請求項８】
前記別のサブバンドの前記帯域幅は前記別のサブバンド内のスペクトル係数の量により表される、請求項７に記載の方法。
【請求項９】
前記分類閾値は０より大きい、請求項２乃至８の何れか１項に記載の方法。
【請求項１０】
前記現在フレームの別のサブバンドをビット割当てが飽和していないサブバンドとして分類するステップであって、前記別のサブバンドの各スペクトル係数は前記受信したビット・ストリームを復号することにより取得されていない、ステップをさらに含む、請求項２乃至９の何れか１項に記載の方法。
【請求項１１】
音声信号を復号するための復号器であって、
コンピュータ実行可能命令を格納するための非一時的メモリと、
前記非一時的メモリに動作可能に接続されたプロセッサであって、前記プロセッサは、前記コンピュータ実行可能命令を実行して、
受信されたビット・ストリームを復号して前記音声信号の現在フレームのスペクトル係数のうち少なくとも一部を取得し、
前記現在フレームのサブバンドをビット割当てが飽和していないサブバンドとして分類し、
前記ビット・ストリームを復号することにより取得されていない前記ビット割当てが飽和していないサブバンドの前記少なくとも１つのスペクトル係数を雑音充填により再構築し、
前記音声信号の前記現在フレームの前記取得されたスペクトル係数の少なくとも一部および前記ビット割当てが飽和していないサブバンドの前記再構築された少なくとも１つのスペクトル係数に従って周波数領域信号を取得する
ように構成され、前記ビット割当てが飽和していないサブバンドの少なくとも１つのスペクトル係数は前記受信したビット・ストリームを復号することにより取得されておらず、前記ビット割当てが飽和していないサブバンドの少なくとも１つのスペクトル係数は前記受信したビット・ストリームを復号することにより取得されていない、プロセッサと、
を備える、復号器。
【請求項１２】
前記現在フレームの前記サブバンドをビット割当てが飽和していない前記サブバンドとして分類するとき、前記プロセッサは、前記コンピュータ実行可能命令を実行して、
前記サブバンドのスペクトル係数ごとに割り当てられたビットの平均量を計算し、
前記サブバンドのスペクトル係数ごとに割り当てられたビットの前記平均量を分類閾値と比較し、
前記サブバンドのスペクトル係数ごとに割り当てられたビットの前記平均量が前記分類閾値より小さいとき、前記サブバンドを前記ビット割当てが飽和していないサブバンドとして分類する
ように構成される、請求項１１に記載の復号器。
【請求項１３】
前記サブバンドのスペクトル係数ごとに割り当てられたビットの前記平均量は前記サブバンドに対して割り当てられたビットの量と前記サブバンドの帯域幅との比である、請求項１２に記載の復号器。
【請求項１４】
前記サブバンドの前記帯域幅は前記サブバンド内のスペクトル係数の量により表される、請求項１３に記載の復号器。
【請求項１５】
前記プロセッサはさらに、前記コンピュータ実行可能命令を実行して、前記現在フレームの別のサブバンドをビット割当てが飽和したサブバンドとして分類するように構成され、前記ビット割当てが飽和したサブバンド内に再構築すべきスペクトル係数がない、請求項１２乃至１４の何れか１項に記載の復号器。
【請求項１６】
前記現在フレームの別のサブバンドを前記ビット割当てが飽和したサブバンドとして分類するとき、前記プロセッサは、前記コンピュータ実行可能命令を実行して、
前記別のサブバンドのスペクトル係数ごとに割り当てられたビットの平均量を計算し、
前記別のサブバンドのスペクトル係数ごとに割り当てられたビットの前記平均量を前記分類閾値と比較し、
前記別のサブバンドのスペクトル係数ごとに割り当てられたビットの前記平均量が前記分類閾値より小さくないとき、前記別のサブバンドを前記ビット割当てが飽和したサブバンドとして分類する
ように構成される、請求項１５に記載の復号器。
【請求項１７】
前記別のサブバンドのスペクトル係数ごとに割り当てられたビットの前記平均量は、前記別のサブバンドに割り当てられたビットの量と前記別のサブバンドの帯域幅との比である、請求項１６に記載の復号器。
【請求項１８】
前記別のサブバンドの前記帯域幅は前記別のサブバンド内のスペクトル係数の量により表される、請求項１７に記載の復号器。
【請求項１９】
前記分類閾値は０より大きい、請求項１２乃至１８の何れか１項に記載の復号器。
【請求項２０】
前記プロセッサはさらに、前記コンピュータ実行可能命令を実行して、前記現在フレームの別のサブバンドをビット割当てが飽和していないサブバンドとして分類するように構成され、前記別のサブバンドの各スペクトル係数は前記受信したビット・ストリームを復号することにより取得されていない、請求項１２乃至１９の何れか１項に記載の復号器。